(57)【要約】弾性機構の付いた留め具つき髪飾りであって、取っ手部（３０，３２）があり、蝶番とスプリングによる手段（１６）で結合され、適当な形に形成された突起部（１８）が各細長い基軸部（１２，１４）から張り出され、一対の留め具部を形成する相互に軸を同じくする一対の細長い基軸部（１２，１４）からなり、各基軸部は、空洞になった円筒状の凹部と、内部の反対の端に突合せ摺動面（２３，２５）を形成するソケット（２０，２２）と、各基軸部のソケット内に設けられた凹部に収容され、これを軸として基軸部はお互いに回転するブッシング（２４）と、ブッシングに挿入され、両方のソケット中に延び、基軸部を閉位置方向に回転させる力を加えるためにソケットの外側の端に適当な方法で両端が取り付けられたスプリング（２６）とからなることを特徴とする。
2004520121.tif 000002
【特許請求の範囲】
【請求項１】
弾性機構の付いた留め具つき髪飾りであって、取っ手部があり、蝶番とスプリングによる手段で結合され、適当な形に形成された突起部が各細長い基軸部から張り出され、一対の留め具部を形成する相互に軸を同じくする一対の細長い基軸部からなり、各基軸部は、空洞になった円筒状の凹部と、内部の反対の端に突合せ摺動面を形成するソケットと、各基軸部のソケット内に設けられた凹部に収容され、これを軸として基軸部はお互いに回転する１個のブッシングと、ブッシングに挿入され、各ソケット中に延び、基軸部を閉位置方向に回転させる力を加えるためにソケットの外側の端に適当な方法で両端が取り付けられたスプリングとからなることを特徴とする髪飾り。
【請求項２】
請求項１の髪飾りにおいて、前記摺動面は、取っ手部が押圧されたとき、基軸部を拡げ、力に抗してスプリング引き伸ばすため、前記ソケットの共通軸に対して約４５°の角度の傾斜があることを特徴とする髪飾り。
【請求項３】
請求項１の髪飾りにおいて、前記突起部は、髪飾りが閉位置にあるとき互いに突き当たる位置にあることを特徴とする髪飾り。
【請求項４】
請求項１の髪飾りにおいて、前記突起部は、第２の基軸部に対する突起部と比較して第１の基軸部に対してずれがあり、基軸部には閉位置において互いに突き当たる部分を設けたことを特徴とする髪飾り。
【発明の詳細な説明】
【技術分野】
【０００１】
本発明は、髪飾りに関し、特に美的外観を持つ、すなわち、着用者の髪に装着するため、高度に装飾化された外観と新しい方法とが結合された髪飾りに関する。
【０００２】
本発明のひとつの重要な目的は、この髪飾りが髪に着けられたとき視界から完全に隠されるような蝶番とスプリングによる手段で保持される留め具を形成するような髪飾りの装着方法をもち、しっかりと髪に装着することができる髪飾りを提供することにある。
【発明の背景と先行技術】
【０００３】
装身具として用いられ、弾性機構の付いた留め具からなる髪飾りは広く用いられている。
【０００４】
それらは、髪飾りを着用者の髪にしっかりと装着するために蝶番により繋がれた２つの部品すなわち基軸部を保持するためのスプリング手段を含んでいる。
【０００５】
このような蝶番および時にはスプリングは、外部から見えてしまう。また、時々髪が蝶番の機構に絡まってしまう。
【０００６】
明らかに、蝶番やスプリングが見えてしまうこと、及び、言うまでもなく、髪が絡まってしまうことは望ましくない特性であり、これらを避けるための発明が求められる。
【０００７】
本発明の他の目的及び有利な点は以下の記述により順を追って明らかにする。
【望ましい実施例の詳細な説明】
【０００８】
図において、全図にわたって同じ部品には同じ番号をつけている。
【０００９】
図において、数字１０は、実施例に示される髪飾りの本体部であり、相互に軸を同じくする一対の細長い基軸部１２及び１４から成り、蝶番とスプリングによる手段１６で結合され、各細長い基軸部１２及び１４からは適当な形に形成された突起部１８が張り出している。この突起部１８は一対のクリップ部、すなわち閉位置にしたときこの髪飾りを着用者の髪に保持するあご部を形成している。
【００１０】
各細長い基軸部１２及び１４はソケット２０及び２２（ここではおおむね円筒形で描かれている）からなり、ソケット２０及び２２には、外側の端は塞がっていることが望ましい円筒状の凹部がある。ここで、円筒状の凹部は、反対側の内側の端から外側の端に向かって空洞になっており、図示のとおり、細長いソケット２０及び２２の共通軸Ｘ−Ｘ’に対して約４５°の角度の傾斜をもった、突合せ摺動面２３及び２５を形成する。
【００１１】
ソケット２０は、図示のとおり、ひとつの基軸部１２に対してこの基軸部の半分の長さになっており、また、ソケット２２も、２番目の基軸部１４に対してこの基軸部の半分の長さになっている。
【００１２】
ブッシング２４はソケット２０及び２２の凹部に受け入れられ、スプリング２６は同様にブッシング２４の中に配置される。
【００１３】
基軸部１２及び１４は、前記ブッシング２４を回転軸として相互に回転する。さらに、ブッシング２４の中のスプリング２６は、ソケット２０及び２２中に延びており、その両端は、基軸部１２及び１４が閉じる方向に力が加わるように、ソケット２０及び２２の外側の端で、ピンやプラグ３４などの適当な方法で固定される。
【００１４】
スプリング２６には、図示のとおり、髪に挟んで保持するような力を発生させる恒久的な引張り力を確実にスプリングに与えるため、髪飾りを閉位置に保持するようピン３４に装着するためのフック部が両端にある。つまみ３０，３２が押圧されると、基軸部１２及び１４の回転により、スプリングを伸張させながらこれらの基軸部を押し広げ（拡張）させる。取っ手が押圧されなくなると、基軸部は閉（締め付け）位置に戻る。
【００１５】
耳殻形状の取っ手部３０及び３２により、（図２に示したような）接触位置から（図３及び図４に示したような）開位置に、髪飾りを開けることができる。
【００１６】
図１において、ブッシングは別の部品として描かれているが、このブッシングはたとえばソケット２０と一体化してもよい。すなわち、このソケットの一部とするが、ソケット２２の中に受け入れることができるような、外径が少し小さい突出部を持たせてもよい。
【００１７】
図２に示すように、各基軸部１２及び１４からの突起部１８が突き当たることにより接触位置となる。
【００１８】
この突起部１８は、しかしながら最初の基軸部１２に対し、２番目の基軸部１４に対する突起部１８と比べてずれがあっても良い。このとき、基軸部自身の適当な位置に、閉位置になると突き当たる部分を設けても良い。
【００１９】
摺動面２３，２５は、つまみ３０，３２が使用者の指によりスプリング２６による力に抗して押圧されたとき、基軸部１２及び１４を、図２に示した位置から図３及び図４に示した位置に動かすだけでなく、髪飾りの基軸部１２を基軸部１４から引き離させ、スプリング２６を引き伸ばす。
【００２０】
押圧動作を止めるとすぐに、スプリング２６の作用の下で、ソケット２０と２２の２つの傾斜した面２３，２５での滑動により、髪飾りを元の閉位置に復帰させる。
【００２１】
外部（裏）から髪飾りを見ると、２つの摺動面は、傾斜した線として現れ、したがって、髪飾りがどのような位置にあっても（開位置でも閉位置でも）蝶番は見えなくなっている。さらに、スプリング２６も、外側に対しても内側に対しても視界から隠され、ブッシング２４のみが内側から見えるだけである。
【００２２】
突起部の形のみならずその数と位置は、その意図する具体的な使い方に適合させることができることはもちろんのことであり、必ずしも図面に示されたようにする必要はない。
【００２３】
本発明に係る髪飾りは、金属製としても良いしプラスチック製としても良い。
【００２４】
指でつまむ部分（すなわち、つまみ３０，３２）は、取っ手として適正に使うことができる限り、種々の大きさや寸法を採用することができる。
【００２５】
スプリング２６は、引張りにより力を加えられるようにするのみならず、つまみ３０及び３２の押圧による開動作によりそれがさらにねじられるような方法でねじり、髪飾りの閉位置でピン３４に固定しても良いことは、特筆されるべきである。かかる場合は、摺動面２３と２５は図示したのとは違った傾きとしても良く、前述の軸Ｘ−Ｘ’に対して垂直としても良い。
【００２６】
ここで図示及び記述された発明の形態は、この発明の好ましい一例であって、特許請求の範囲からはずれることなく、形や大きさ部品の配置についてさまざまな変更を施すことが可能であることは、いうまでもない。
【図面の簡単な説明】
【００２７】
【図１】図１は本発明に係る髪飾りの主部品の組み立て構成図である。
【図２】図２は閉位置における髪飾りの側面透視図である。
【図３】図３は開位置における髪飾りの別の正面透視図である。
【図４】図４は開位置における図２に対応する図である。
【国際公開パンフレット】
2004520121.tif 000003
2004520121.tif 000004
2004520121.tif 000005
2004520121.tif 000006
2004520121.tif 000007
2004520121.tif 000008
2004520121.tif 000009
2004520121.tif 000010
【国際調査報告】
2004520121.tif 000011
2004520121.tif 000012